(57)【要約】【課題】  負荷荷重から排水栓を防護し、しかも排水栓を引抜かずに除去した毛髪、水垢等のゴミ類を廃棄できる便利な遠隔操作式排水栓用多孔カバーを提供する。【解決手段】  排水栓１回りの固定部材４２に槽内からその排水栓１を覆うように脱着可能に設けられて開栓時の排水栓１に干渉しない膨出形状を有する非変形性のカバーＡを構成する。そしてそのカバーＡは人体等の負荷荷重から開栓時の排水栓１を防護する。ろ過されたゴミ類は排水栓１を取外さずに廃棄する。【選択図】  図１
2005290737.tif 000002
【特許請求の範囲】
【請求項１】
排水栓回りの固定部材に容体内からその排水栓を覆うように脱着可能に設けられて、開栓時の排水栓に干渉しない膨突形状を有する非変形性の遠隔操作式排水栓用多孔カバー。
【発明の詳細な説明】
【技術分野】
【０００１】
本発明は、浴槽、洗面器、流し等の容体の背後空間に伝達手段を設け、操作部から伝達力をその伝達手段を介して排水栓に伝達してその排水部を開閉する遠隔操作式排水栓のそのカバーに関するものである。
【背景技術】
【０００２】
従来、遠隔操作式排水栓は、浴槽、洗面器、流し等の槽体の背後空間を利用して伝達手段であるレリースを配線し、そのレリースに一端側を連絡する操作部の操作力でそのレリースを介して排水栓に伝達して、その排水栓を交互に上昇させて排水部を開閉するようになっている（例えば、特許文献１参照。）。
また、遠隔操作式排水栓には、例示しないが、伝達手段として揺動作動杆を有し、その揺動作動杆を操作部の押し引き力で傾動させることによって排水栓を上下動させて排水部を開閉する所謂ホップアップ式のもの等、様々なタイプにものがある。
【０００３】
ところで、開栓時の排水栓は、上昇して排水口部材の着座面から離間するため、上部から人体等の負荷が掛かると、開栓状態を保持するロック部に応力を集中させ、そのロック部を破損させたり、ロック部がない遠隔操作式排水栓においても、誤って閉栓してしまう使用勝手上の問題があった。
また、洗面器、流し等では、ヘアーキャッチャー等のストレーナーを排水栓の支持軸に設け、浴槽にあっては、排水口部材内にヘアーキャッチャー等のストレーナーを設けて、それらゴミ類を除去（ろ過）するようにしている。
しかしながら、どちらにしても排水栓を外さなければストレーナーで除去したゴミ類を廃棄できない。
【特許文献１】特開２００３−２９３４１６号公報
【発明の開示】
【発明が解決しようとする課題】
【０００４】
本発明は上記従来事情に鑑みてなされたもので、その目的とする処は、負荷荷重から排水栓を防護し、しかも排水栓を引抜かずに除去した毛髪、水垢等のゴミ類を廃棄できる非常に便利な遠隔操作式排水栓用多孔カバーを提供することにある。
【課題を解決するための手段】
【０００５】
前記課題を解決するために講じた技術的手段は、排水栓回りの固定部材に槽内からその排水栓を覆うように脱着可能に設けられて、開栓時の排水栓に干渉しない膨出形状を有する非変形性の遠隔操作式排水栓用多孔カバーである。
ここで非変形性とは、所要の負荷荷重では変形しないことを指し、例えば浴槽用にあっては、人体荷重程度では変形しない耐強度にされている。
その遠隔操作式排水栓用多孔カバーが、脱着可能に設けられる固定部材としては、排水栓を着座させる排水口部材がその一例として提案できる。
そして、遠隔操作式排水栓用多孔カバーは、排水時の通水部と、ゴミ類を除去するためストレーナーとして機能する程度の目の粗さにする。
【発明の効果】
【０００６】
本発明は以上のように、人体等の負荷荷重から開栓時の排水栓を防護して、開栓状態を保持するロック部がその負荷荷重で破損したり、誤って閉栓してしまう使用勝手上の問題を解消し、しかも排水栓をいちいち取外さずともろ過したゴミ類を廃棄でき、排水性を損うこともない便利な遠隔操作式排水栓用多孔カバーを提供することができる。
【発明を実施するための最良の形態】
【０００７】
次に本発明遠隔操作式排水栓用多孔カバーの実施の形態を図面に基づいて説明する。この実施の形態は、レリースを伝達手段とした場合の浴槽用遠隔操作式排水栓を示している。
【実施例１】
【０００８】
遠隔操作式排水栓は、図１に示すように、浴槽、洗面器、流し台等の容体Ｂの底に開口した排水口ｂに装着される排水口部材２を容体Ｂ裏側から排水筒４で締結し、排水口部材２の内面から求心方向に向かう複数本のリブ２２を設け、そのリブ２２複数本の先端間で挿入空間３２を確保し、該挿入空間３２に、周知のスラストロック機構を内蔵したメカボックス１１を抜差し可能に係合し、そのメカボックス１１内のスラストロック機構で排水栓１を開閉可能に支持した構成になっている。
尚、遠隔操作式排水栓は、メカボックス１１が前記スラストロック機構を内蔵せずにレリースの一端側と排水栓１の支持軸とを連絡する連絡部を内蔵し、レリースの伝達力を受けて支持軸を介して排水栓１が交互に上昇、下降するようになっていても良いものである。
前記のようにメカボックス１１が前記連絡部を内蔵している場合には、操作部側にロックとロック解除を交互に行うスラストロック機構を設けること云うまでもなく、操作部の押し引きで排水栓が上昇、下降する遠隔操作式排水栓の場合には、スラストロック機構は必要ではないものである。
【０００９】
前記メカボックス１１は、図１に示すようにその下端側に前記複数本のリブ２２下端に設けた係止凸部２２ａに係脱する係合凹部１１ａを周設し、故意に引抜けば、外れるようになっている。
【００１０】
前記排水口部材２は、図１に示すように外螺子１２ａを有する本体１２の上部近傍に排水栓１の着座面５２を鍔状に突設すると共に同本体１２の上端から掛止鍔４２を周設し、その掛止鍔４２を、排水口ｂの開口縁回りに一段低く凹設された凹段部ｂ１に落とし込み状に載置している。
【００１１】
排水栓１回りの固定部材であるこの排水口部材２の掛止鍔４２には、図１に示すように遠隔操作式排水栓用多孔カバーＡが脱着可能に設けられている。
【００１２】
遠隔操作式排水栓用多孔カバーＡは、金属材や硬質樹脂材で人体等の負荷荷重でも変形しない程度の保形強度をもって成形されている。
また、要所要所に排水口部材２の掛止鍔４２に下端が当接する補強リブを内部に突設して、より耐強度を増強すること任意なものである。
【００１３】
前記遠隔操作式排水栓用多孔カバーＡは、図２に示すようにヘアーキャッチャーとして機能するようにメッシュ目や網目、格子目、放射状目等適宜形状の目を所要の粗さをもって多数有する多孔態様にされており、開栓時の排水栓１が干渉しない膨突形状、即ちドーム形状に形成されて、排水栓１をスッポリ覆うように設けられている。
【００１４】
この遠隔操作式排水栓用多孔カバーＡの脱着手段３は、図２に示すように前記排水口部材２の掛止鍔４２と相対する部分２〜３箇所に凹段部ａを設け、その凹段部ａ底を掛止鍔４２にネジ１００止めして、形成されている。
尚、前記脱着手段は、前記遠隔操作式排水栓用多孔カバーの下端の開放縁に円周方向に間隔をおいて求心方向に切入されたスリットと、中心を挟んで対称位置に設けられた指掛け凹部とで形成して、上方から押圧することによってスリット間の弾性片が外側に開いて排水口部材の前記掛止鍔縁に弾性的に掛止して取付られ、指掛け凹部を掴んで上方に引抜くことによって取外せるようにしたり、指掛け凹部を設けず、ドライバー等の工具で前記遠隔操作式排水栓用多孔カバーの開放縁を抉じ上げて外せるようにする等、その脱着手段の具体例は種々提案できるものである。
【００１５】
また、遠隔操作式排水栓用多孔カバーＡは、洗面器、流し用については明記していないが、浴槽用程の負荷荷重が作用することが少ないため、上半身程度の負荷荷重で変形しない耐強度をもって形成するのが好ましいものである。
【図面の簡単な説明】
【００１６】
【図１】本実施の形態遠隔操作式排水栓用多孔カバーの使用状態を示す正面断面図。
【図２】要部の斜視図で一部切欠して示す。
【符号の説明】
【００１７】
Ａ：遠隔操作式排水栓用多孔カバー        １：排水栓
４２：固定部材（排水口部材の掛止鍔）      ３：脱着手段
【図１】
2005290737.tif 000003
【図２】
2005290737.tif 000004